(57)【要約】【課題】開閉翼動作機構を有し、回収・再利用が可能な除去アンカーを提供する。【解決手段】ケース１と、拡開翼を貫通させるためにケースに形成した翼通過部と、ケース内に摺動自在に設けた少なくとも一つの翼ヘッド５と、前記翼ヘッド５に拡開可能に取り付けた少なくとも一つの拡開翼６と、前記拡開翼を前記翼通過部を貫通してケースの外に拡開させるためにケース内に設けた少なくとも一つの拡開翼ガイド２とを備え、前記翼ヘッドがケース内を移動し、前記拡開翼が拡開翼ガイドにガイドされながら前記翼通過部を貫通して前記ケースの外に拡開するとともに、前記翼ヘッドがケース内の収納位置に復帰した時には、拡開翼がケース内に収納されるべく構成したことを特徴とする除去アンカー。【選択図】図１
2005023620.tif 000002
【特許請求の範囲】
【請求項１】
ケースと、拡開翼を貫通させるためにケースに形成した翼通過部と、ケース内に摺動自在に設けた少なくとも一つの翼ヘッドと、前記翼ヘッドに拡開可能に取り付けた少なくとも一つの拡開翼と、前記拡開翼を前記翼通過部を貫通してケースの外に拡開させるためにケース内に設けた少なくとも一つの拡開翼ガイドとを備え、前記翼ヘッドがケース内を移動し、前記拡開翼が拡開翼ガイドにガイドされながら前記翼通過部を貫通して前記ケースの外に拡開するとともに、前記翼ヘッドがケース内の収納位置に復帰した時には、拡開翼がケース内に収納されるべく構成したことを特徴とする除去アンカー。
【請求項２】
請求項１に記載の一組の除去アンカーを複数組、前記ケース軸方向に連結可能に構成したことを特徴とする除去アンカー。
【請求項３】
前記ケースは、拡開翼ガイドの部分で分離して形成され、分離部もしくはケースの中間部位が前記翼通過部を形成していることを特徴とする請求項１または請求項２に記載の除去アンカー。
【請求項４】
前記翼ヘッドには操作部材が設けられ、操作部材を押引することにより、翼ヘッドをケース内で摺動させることができることを特徴とする請求項１〜請求項３のいずれかに記載の除去アンカー。
【請求項５】
前記操作部材には、操作部材を押引するための押引手段が設けられていることを特徴とする請求項４に記載の除去アンカー。
【請求項６】
前記押引手段はネジ機構、油圧機構であることを特徴とする請求項５に記載の除去アンカー。
【請求項７】
前記請求項１〜請求項６に記載の何れかの除去アンカーを使用した除去アンカーの施工方法であって、前記除去アンカーを施工位置に設置した後、翼ヘッドをケース内で移動することにより拡開翼ガイドを介して拡開翼を前記翼通過部からケースの外に拡開させ、また、翼ヘッドをケース内の初期位置に復帰させることにより翼通過部から拡開翼をケース内に収納できるようにしたことを特徴とする除去アンカーの施工方法。
【発明の詳細な説明】
【０００１】
【発明の属する技術分野】
本発明は、完全回収・再利用可能な除去アンカーおよびその施工方法に関するものであり、特に開閉翼動作機構を有し、回収・再利用が可能な除去アンカーおよびその施工方法に関するものである。
【０００２】
【従来の技術】
わが国は国土の大半が急峻な地形、脆弱な地質であるだけでなく地震等の自然災害も多い。そのため安全で安心できる国土づくり、地域づくりには、最も基本的な社会資本整備の推進が必要とされる。特に、国民生活を保証する防災工事、快適な住環境の整備、災害に強いライフラインの生活関連社会資本の整備は、緊急の社会的要請である。また、近年わが国では地球環境、国土の脆弱化、少子高齢化等社会システム全体の問題として捉えるべき課題が顕在化してきたことに加え、急速に経済が収縮している。これらの状況変化に対応して、土木技術の在り方も変革を迫られている。このような中で平成１２年９月には公共工事コスト縮減対策関係閣僚会議において、平成１２年度以降の新たな「公共工事コスト縮減対策に関する新行動指針」が策定され、国土交通省および各都道府県においても新行動指針を踏まえた公共工事コスト縮減対策に関する新行動計画等が策定された。
【０００３】
主な具体的施策は以下に示すものである。
（１）工事の時間的コストの低減
集中投資や新技術の活用による工事期間の短縮
（２）ライフサイクルコストの低減
より耐用年数の長い施設、省資源・省エネルギー化に資する施設、環境と調和する施設等の整備を推進するなど、施設の品質の向上を図ることにより、ライフサイクルを通じてのコスト低減および環境負荷の低減
（３）工事における社会的コストの低減
リサイクルの推進、環境対策および安全対策を通じて、資源の有効利用、環境負荷の低減、人的損失の低減
（４）工事の効率性向上による長期的コストの低減
工事情報の電子化や電子交換等による工事の効率化
【０００４】
このような社会状況において建設産業における技術開発の関心は、既存施設の維持管理、防災、建設工事のコスト縮減等に関わる新しい技術の開発に向けられつつある。アンカー工法に関する技術開発もその一例である。アンカー工法は、地下掘削の側面安定、急傾斜地や掘削法面の安定対策、構造物基礎の補強工法等として需要が急速に増大し、これまでさまざまな種類のアンカー工法の開発と改良が積重ねられてきた。
【０００５】
しかしながら、これまでの技術開発はより大きな引抜き抵抗をもつアンカーの開発、施工性の向上、あるいは施工環境に左右されない適用性の拡大等が主流であり、アンカー本体のコストダウンはあくまでも二次的条件として対抗する工法と遜色ない程度の価格競争力を担保する程度でよしとしていた。すなわち、施工費用を含めたアンカー本体のコスト縮減を主要目的に据えた技術開発はほとんど放置されていたと言ってよい。
【０００６】
アンカー工法は大きく永久アンカーと仮設アンカーに分けられる。前者の永久アンカーは、主に基礎構造物などの本体構造物の補強対策として使用され、少なくとも本体構造物の使用期間中はその機能を維持し撤去されることはない。後者のアンカーは、掘削地盤の側面を施工期間中安定に維持するなど、主に仮設構造物として使用され、その使用目的を終えた後は完全に除去することが要求されている。この要求から、現在使用されている仮設アンカーの殆どが除去式アンカーとなっている。
除去式アンカーはこれまで様々な方式が開発されてきたが、実用化されている除去方法のほとんどが構造的に以下に示す方式に分類される。
（１）テンドンである鋼より線をアンカー体先端部付近に設置した金具を介してＵターンさせ、除去時に鋼より線の一端を引っ張ることにより鋼より線のみを引き抜く方式。
（２）アンカー体を形成する注入材料を脆弱化させることにより、アンカー体とテンドンの付着を剥離させ、テンドンのみを引き抜く方式。
（３）アンカー体中心部にあらかじめ形成されている空隙に向かって鋼より線を移動剥離させることによりテンドンのみを引き抜く方式。
（４）テンドンと離脱機構を有する耐荷体金具をアンカー体内部に設置し、除去時にテンドンを耐荷体金具から離脱させ引き抜く方式。
【０００７】
【発明が解決しようとしている課題】
このように、現在の除去式アンカーの場合、撤去の対象はテンドンであり、注入材や耐荷体などの金具はそのほとんどが地盤中に残留放置されている。その結果、環境改善、コスト削減、第三者不利益などに関わる以下のような未解決の問題を残している。
（１）現在広く利用されている除去アンカーの資源リサイクルは、除去時にテンドンのみを撤去・回収し再生資源として利用しているのみであり、資源循環型社会の要求に充分対応できない。
（２）例えば、鋼矢板や切梁部材などの多くの仮設材が、部材として現状の機能の全てを維持したまま繰返し再利用されることにより単価（レンタル料あるいはリース料として）の低減を図ってきた。しかしながら、素材の再資源化といった利用形態である現状の除去アンカーは、アンカーとしての機能、すなわち素材に附加された機能的価値は完全に廃棄され、コストの縮減につながる筋道は完全に閉ざされているばかりでなく、むしろコスト高に向かっている。
（３）工事敷地に隣接した第三者敷地内に残留した耐荷体などの障害物は、第三者敷地内で実施される以後の建設工事において、掘削や基礎杭等の施工に大きな障害となる可能性が高く、第三者に不利益を与える。
（４）障害物の残留は、隣接地地権者との調整や自治体等の施工許可が下りるまでに時間を有し、施工期間にも影響を与える（特許文献１、特許文献２）。
【０００８】
【特許文献１】特開平６−２６０３７号
【特許文献２】特開平７−７６８３３号
【０００９】
このため、本発明は、上記の問題を解決することを目的とした装置およびその機能を備えた完全回収可能な除去式アンカーおよびその施工方法を提案するものである。
【００１０】
【課題を解決するための手段】
このため、本発明が採用した技術解決手段は、ケースと、拡開翼を貫通させるためにケースに形成した翼通過部と、ケース内に摺動自在に設けた少なくとも一つの翼ヘッドと、前記翼ヘッドに拡開可能に取り付けた少なくとも一つの拡開翼と、前記拡開翼を前記翼通過部を貫通してケースの外に拡開させるためにケース内に設けた少なくとも一つの拡開翼ガイドとを備え、前記翼ヘッドがケース内を移動し、前記拡開翼が拡開翼ガイドにガイドされながら前記翼通過部を貫通して前記ケースの外に拡開するとともに、前記翼ヘッドがケース内の収納位置に復帰した時には、拡開翼がケース内に収納されるべく構成したことを特徴とする除去アンカーである。
また、上記記載の一組の除去アンカーを複数組、前記ケース軸方向に連結可能に構成したことを特徴とする除去アンカーである。
また、前記ケースは、拡開翼ガイドの部分で分離して形成され、分離部もしくはケースの中間部位が前記翼通過部を形成していることを特徴とする除去アンカーである。
また、前記翼ヘッドには操作部材が設けられ、操作部材を押引することにより、翼ヘッドをケース内で摺動させることができることを特徴とする除去アンカーである。
また、前記操作部材には、操作部材を押引するための押引手段が設けられていることを特徴とする除去アンカーである。
また、前記押引手段はネジ機構、油圧機構であることを特徴とする除去アンカーである。
また、上記記載の何れかの除去アンカーを使用した除去アンカーの施工方法であって、前記除去アンカーを施工位置に設置した後、翼ヘッドをケース内で移動することにより拡開翼ガイドを介して拡開翼を前記翼通過部からケースの外に拡開させ、また、翼ヘッドをケース内の初期位置に復帰させることにより翼通過部から拡開翼をケース内に収納できるようにしたことを特徴とする除去アンカーの施工方法である。
【００１１】
【実施の形態】
図面を参照して本発明に係る除去アンカーの構成を説明すると、図１は本発明の第１実施形態としての除去アンカーの上面図、ケース部分の断面図、下面図、図２は翼ヘッド、拡開翼、操作部材の構成図、図３は拡開翼ガイドの上面図、側面図、下面図、図４は拡開翼ガイドの他の例を示す上面図、側断面図、下面図、図５は翼ヘッドの上面図、左側面図、正面断面図、右側面図、下面図である。
【００１２】
図１において、除去アンカーは管状のケース１を備えており、このケースは、本例では２分割された円管１ａ、１ｂから構成されている。分割された二つのケース１ａ、１ｂは図１に示すように拡開翼ガイド２によって連結されており、さらに、先端側のケース１ａの端部には先端が円錐状をした蓋部材３が適宜固定手段により固定されている。
【００１３】
拡開翼ガイド２は、図３または図４に示すように、全体としてケース１に合わせた断面形状をしており、上下にケース１ａ、１ｂを螺合するネジ部２ａ、２ｂを備えており、そのネジ部２ａ、２ｂの間にケース１の外径に相当する大径部２ｃを備えている。また、拡開翼ガイド２は、その周囲に拡開翼６を案内するための下方から上方外方に向かう傾斜面を有するガイド溝２ｄあるいはガイド孔２ｄ’が３箇所形成されており、また中心部には後述する操作部材が貫通する孔２ｅが形成されている。前記ガイド溝２ｄあるいはガイド孔２ｄ’は、３個に限定することなく、また、１個以上適宜個数を設定することができる。また、拡開翼ガイド２とケース１との連結はネジに限定することなく、溶接等の適宜固定手段を採用することができる。前記ガイド溝２ｄあるいはガイド孔２ｄ’は拡開翼ガイド２とケース１が連結された状態で、後述する拡開翼６が貫通する翼通過部を形成しており、拡開翼６が前記翼通過部を貫通してケース１あるいは拡開翼ガイド２の外方にでることにより、拡開翼６が開く構成となっている。
【００１４】
また後端側のケース１ｂの端部には操作部材７を押引する押引手段４が設けられている。この押引手段４は、操作部材７に螺合するスクリュウジャッキ４ａと、このスクリュウジャッキ４ａを回転可能に支持する軸受部材４ｂとを備えており、スクリュウジャッキ４ａは同ジャッキ４ａに螺合するナット部材４ｃにより、前記軸受部材４ｂから脱落せぬように取り付けられている。またスクリュウジャッキ４ａには操作部材７を螺合するためのネジ孔４ｅが形成されている。そしてスクリュウジャッキ４ａのネジ孔４ｅには後述する操作部材７が螺合している。なお、操作部材７の押引手段４は前記のスクリュウジャッキに限定することなく、油圧ジャッキ等適宜の手段によっても可能である。
【００１５】
前記ケース１内に収納される翼ヘッド５は、操作部材７を備えており、さらに、翼ヘッド５には拡開翼６がボルト等の適宜手段で、拡開可能に取り付けられている。即ち、前記翼ヘッド５は、図５に示すように、前記拡開翼ガイド２に形成したガイド溝２ｄあるいはガイド孔２ｄ’に対応して３箇所の拡開翼６の取り付け部５ａが形成されており、この取り付け部に拡開翼６がボルトにより取り付けられる構成となっている。また中心部には翼ヘッド５と操作部材７を螺合するネジ部５ｂが形成されている。なお、操作部材７と翼ヘッド５とはネジによる取り付けに限定することなく、溶接等適宜の固定手段により固定することも可能であり、拡開翼６の枚数も３枚に限定することなく施工場所に合わせて適宜枚数とすることも可能である。
【００１６】
上記のように構成したケース１、翼ヘッド５と、拡開翼ガイド２とは図６に示すように組付けられる。即ち、先端側のケース１ａ内に拡開翼６を取り付けた翼ヘッド５を摺動自在に配置し、さらに操作部材７が貫通している拡開翼ガイド２の上下にケース１ａ、１ｂを組付ける。さらに、後端側のケース１ｂの端部にスクリュウジャッキ４ａを取り付け、操作部材７と螺合させる。
以上のように組付けた除去アンカーは、図６▲１▼に示すように、スクリュウジャッキ４ａを操作して翼ヘッド５を先端側のケース１ａの先端側に位置させる。この初期位置状態の時には、翼ヘッド５に取り付けた拡開翼６は、図６▲１▼に示すようにケース１ａ内に収納されている。また拡開翼ガイド２部には拡開翼６が貫通する通過部が形成されている。
上記のように初期状態に組み付けた除去アンカーは、スクリュウジャッキ４ａを操作して翼ヘッド５を図６中、▲２▼に示すようにケース１ａ端部に向かって移動させることにより、翼ヘッド５に取り付けた拡開翼６を拡開翼ガイド２のガイド溝２ｄあるいはガイド孔２ｄ’にそって同図の▲３▼に示すようにケース１の外部に拡開することができる。
【００１７】
上記除去アンカーの第２実施形態を説明する。
第２実施形態は、図７に示すように第１実施形態に示す除去アンカーを複数組連結したものである。図７（Ａ）は初期状態の外形図、（Ｂ）は初期状態の断面図、（Ｃ）は拡開翼を拡げた状態を示す図であり、この除去アンカーも第１実施形態と同様に図示せぬ押引手段によって操作部材を操作することで拡開翼を初期状態から拡開状態に、また拡開状態から初期状態に変えることができるようになっている。図中、第１実施形態と同じ部材には同一符号を付している。
【００１８】
この除去アンカーの施工方法を説明する。
図８に示すように除去アンカーを打込み等の適宜手段（例えば予め施工場所に孔をあけ、その孔内に除去アンカーを設置する等）により地盤中に貫入させ所定の位置に設置する。貫入が終了した図９に示す段階でスクリュウジャッキ４ａを操作し、操作部材７をケース内から引き上げる。この引き上げにより翼ヘッド５がケース１ａ内を摺動し、さらに引き上げると、拡開翼６が拡開翼ガイド２の溝にそって拡開されながら、図１０に示すように最終全開位置をとり、その後、公知のアンカーと同様に適宜手段により緊張・定着を行う。
除去アンカーを除去する時は、図１１に示すようにスクリュウジャッキ４ａを操作して操作部材７を移動し、翼ヘッドを初期位置に戻す。翼ヘッドが初期位置に戻ることにより拡開翼６もケース内に収納され、図１２に示すように油圧ジャッキ、クレーン等の適宜手段により除去アンカーを容易に引き抜き除去することができる。
【００１９】
以上、本発明の実施形態を説明したが、拡開翼の枚数は３枚に限定することなく適宜枚数に設定することができる。また、本例ではケースの長手方向に拡開翼を１段のみ設けてあるが、複数段設けることも可能であり、その場合には、その数に合わせて翼ヘッドと、拡開翼ガイドを設置する。また拡開翼ガイドはガイド溝方式あるいはガイド孔方式でなく、単なる傾斜面を有する構成とすることも可能であり、拡開翼ガイドとケースの接続方法もネジ式に限定されることはない。また、翼ヘッドと拡開翼との間に、拡開翼を予め拡開方向に付勢するバネ等の付勢手段を配置することも可能である。
また、操作部材の引き抜き等の操作はネジに限定することなく、油圧等他の手段を使用することも可能である。
さらに、本発明はその精神または主要な特徴から逸脱することなく、他のいかなる形でも実施できる。そのため、前述の実施形態はあらゆる点で単なる例示にすぎず限定的に解釈してはならない。
【００２０】
【発明の効果】
以上詳細に説明したように本発明に係る完全回収かつ再利用可能な除去アンカーおよびその施工方法によれば、
（１）これまでの除去アンカーでは、施工後にアンカー体は破壊、または脆弱化することにより除去されていたが、開閉翼式除去アンカーにおいては翼部の開閉により除去が可能であるため、アンカー体の撤去後も必要に応じて翼部のみを取り替えることによりアンカー本体を再利用することが可能である。また、施工後、完全回収が可能であり従来のようにアンカーの一部が地中に残留しないため、隣地での施工に影響を与えない。
（２）施工面では、従来の除去式アンカーのように必ずしも削孔を必要とするものでなく、その場合、削孔にボーリングマシーンなどの大型機械を使用しないため狭い場所での施工が可能である。
（３）除去工においても拡開翼を収納後、除去アンカー一式を一回の引抜き動作で引抜きが可能となり、テンドンに多数本の鋼線を使用している従来工法よりも簡易化されるため、除去工に要する工期も短縮できる。
（４）施工の簡素化、アンカー構成部品と機能の完全回収・再利用によるコスト縮減と工期短縮が可能である。
などの優れた効果を奏することができる。
【図面の簡単な説明】
【図１】本発明の第１実施形態としての除去アンカーの上面図、ケース部分の断面図、下面図である。
【図２】翼ヘッド、拡開翼、操作部材の構成図である。
【図３】拡開翼ガイドの上面図、側面図、下面図である。
【図４】拡開翼ガイドの他の例を示す上面図、側断面図、下面図である。
【図５】翼ヘッドの上面図、左側面図、正面断面図、右側面図、下面図である。
【図６】本発明の除去アンカーの施工法を説明する図である。
【図７】（Ａ）は第２実施形態の除去アンカーの初期状態の外形図、（Ｂ）は初期状態の断面図、（Ｃ）は拡開翼を拡げた状態を示す図である。
【図８】本発明の除去アンカーを施工場所に設置しつつある説明図である。
【図９】同除去アンカーを施工場所に設置した状態の説明図である。
【図１０】同除去アンカーの拡開翼６が拡開した状態の図である。
【図１１】同除去アンカーの拡開翼６を収納した状態の図である。
【図１２】同除去アンカーの除去途中の状態の図である。
【符号の説明】
１          ケース
１ａ        先端側のケース
１ｂ        後端側のケース
２          拡開翼ガイド
２ａ、２ｂ  ネジ部
２ｃ        大径部
２ｄ        ガイド溝
２ｄ’      ガイド孔
２ｅ        孔
３          蓋部材
４          押引手段
４ａ        スクリュウジャッキ
４ｂ        軸受部材
４ｃ        ナット部材
４ｅ        ネジ孔
５          翼ヘッド
５ａ        拡開翼取り付け部
５ｂ        ネジ部
６          拡開翼
７          操作部材
【図１】
2005023620.tif 000003
【図２】
2005023620.tif 000004
【図３】
2005023620.tif 000005
【図４】
2005023620.tif 000006
【図５】
2005023620.tif 000007
【図６】
2005023620.tif 000008
【図７】
2005023620.tif 000009
【図８】
2005023620.tif 000010
【図９】
2005023620.tif 000011
【図１０】
2005023620.tif 000012
【図１１】
2005023620.tif 000013
【図１２】
2005023620.tif 000014